(57)【要約】【課題】  溶断等による撤去作業、高所での作業、狭いスペースでの作業及び大重量物の吊り上げ作業等を回避でき、しかも、コンクリート打設時の転倒の虞がなく、而して、簡単に且つ速やかに施工することができる橋梁用ストッパの設置方法を提供すること。【解決手段】  橋梁用ストッパの設置方法では、棒状体２２及び箱体２５を具備するストッパ２６と、箱体２５を棒状体２２に仮固定する仮固定具２７と、棒状体２２の一端部２３に取り外し自在に装着された吊り具２８と、棒状体２２及び箱体２５の鉛直方向における隙間２９を維持する隙間維持部材３０とを具備した組み合わせ体３１を準備し、吊り上げた組み合わせ体３１の棒状体２２を下部構造Ｂに設置し、下部構造Ｂへの設置後に吊り具２８を棒状体２２から取り外して、箱体２５の周りに上部構造Ｇを設置する。【選択図】図１
2006152650.tif 000002
【特許請求の範囲】
【請求項１】
中空部を有した棒状体及び棒状体の一端部を隙間をもって覆う箱体を具備していると共に箱体の棒状体に対する相対的な変位に基づく箱体と棒状体との圧接により橋梁の上部構造の下部構造に対する許容量以上の相対的な変位を禁止するストッパと、水平方向に関して箱体を棒状体に仮固定していると共に設定値以上の剪断力が加えられることにより剪断破壊されて当該仮固定を解除する仮固定具と、箱体を貫通して棒状体の一端部に取り外し自在に装着された吊り具とを具備した組み合わせ体を準備し、吊り具に吊り上げ力を与えて組み合わせ体を吊り上げ、吊り上げた組み合わせ体の棒状体を下部構造に設置し、下部構造への設置後に吊り具を棒状体から取り外して、箱体の周りに上部構造を設置する橋梁用ストッパの設置方法。
【請求項２】
棒状体は、開口が設けられた上壁を具備しており、箱体は、棒状体の上壁の開口の上方に位置して貫通孔が設けられた底壁を具備しており、棒状体を下部構造に設置する際又は当該設置後であって上部構造を箱体の周りに設置する前に、貫通孔及び開口を介して棒状体の中空部にコンクリートを打設する請求項１に記載の橋梁用ストッパの設置方法。
【請求項３】
組み合わせ体は、棒状体及び箱体の鉛直方向における隙間を維持する隙間維持部材を更に具備している請求項１又は２に記載の橋梁用ストッパの設置方法。
【請求項４】
隙間維持部材は、棒状体及び箱体間において貫通孔及び開口に連通するコンクリート流路を画成している請求項３に記載の橋梁用ストッパの設置方法。
【請求項５】
隙間維持部材は、弾性体からなる請求項４に記載の橋梁用ストッパの設置方法。
【請求項６】
吊り上げた組み合わせ体の棒状体を下部構造の箱抜きされた箱抜き穴に挿入し、棒状体及び箱抜き穴間の空間に充填材を充填することにより棒状体を下部構造に設置し、充填材の充填前に又は当該充填と併行して、棒状体の中空部にコンクリートを打設する請求項１から５のいずれか一項に記載の橋梁用ストッパの設置方法。
【請求項７】
仮固定具は、棒状本体と、棒状本体の両端部間に形成されていると共に水平方向に関して設定値以上の剪断力が加えられることにより剪断破壊される切欠き部とを具備している請求項１から６のいずれか一項に記載の橋梁用ストッパの設置方法。
【請求項８】
棒状体の一端部には、箱体の棒状体に対する衝突を緩衝する緩衝材が設けられている請求項１から７のいずれか一項に記載の橋梁用ストッパの設置方法。
【請求項９】
箱体は、少なくとも二つの仮固定具により水平方向に関して棒状体に仮固定されており、棒状体の一端部には、少なくとも二つの吊り具が装着されている請求項１から８のいずれか一項に記載の橋梁用ストッパの設置方法。
【請求項１０】
二つの吊り具を結ぶ線は、二つの仮固定具を結ぶ線に対して交差している請求項９に記載の橋梁用ストッパの設置方法。
【請求項１１】
吊り具は、一端で棒状体に設けられたナットに解除自在に螺着され且つ他端で箱体の上面に接するアイボルトからなる請求項１から１０のいずれか一項に記載の橋梁用ストッパの設置方法。
【発明の詳細な説明】
【技術分野】
【０００１】
本発明は、橋桁等からなる上部構造と橋脚、橋台等からなる下部構造との間に介装され、地震等に基づく上部構造の下部構造に対する許容量以上の変位を禁止する橋梁用ストッパの設置方法に関する。
【背景技術】
【０００２】
【特許文献１】実公平３−４２０８９号公報
【特許文献２】特開２００１−３０３５１７号公報
【０００３】
例えば特許文献１及び２においては、地震時等における橋桁等の上部構造の急激な変位に伴う橋脚、橋台等の下部構造からの脱落を阻止するために上部構造と下部構造との間にストッパが設置されてなる橋梁構造が提案されている。
【０００４】
図１０から図１４は、ストッパＳの一例を示すもので、横断面長方形状をなす中空の箱体（受け箱）１は開口２が下方に配されて上部構造Ｇに埋設されている。横断面方形状の棒状体３は、コンクリートが充填された中空部Ｐを具備している。棒状体３の上端部４には、衝撃緩和用のゴム弾性体からなる緩衝材５が被冠されている。棒状体３は、その上端部４が箱体１に挿入されていると共に、上端部４と反対側の下端部が下部構造Ｂに埋設固定されている。斯かるストッパＳでは、地震時等において上部構造Ｇと下部構造Ｂが急激に相対変位した場合に、上部構造Ｇが箱体１を介して棒状体３の上端部４に当接することで上部構造Ｇと下部構造Ｂとの許容量以上の相対変位を禁止するようになっている。
【０００５】
斯かるストッパＳの設置方法は次の通りである。箱体１の開口２の周縁に鋼製の枠体６を溶接固定する。棒状体３の箱体１の開口２近傍の長辺側の相対向する側面７及び７ａに鋼板８及び８ａを溶接固定すると共に、鋼板８、８ａと前記箱体１の開口２の周縁に設けられた枠体６との端面にわたって円孔９を有する一対の鋼板１０及び一対の鋼板１０ａを橋軸方向Ｘに所定の間隔を保持して溶接固定する。鋼板８及び８ａと枠体６と円孔９を有する一対の鋼板１０及び一対の鋼板１０ａとで吊り手段Ｕを形成する。尚、箱体１の上面の四隅には、箱体１を吊り上げるための金具Ｄが固定されている。
【０００６】
次に、両端にねじ部１１及び１１ａを備え且つ外周面に剪断破断予定部位としての切欠き部１２を備えたボルト杆１３を枠体６並びに鋼板８及び８ａの夫々に設けられた貫通孔１４及び１５を挿通して配し、ナット１６及び１６ａをボルト杆１３のねじ部１１に螺合させて枠体６を挟持し且つナット１７及び１７ａをボルト杆１３のねじ部１１ａに螺合させて鋼板８及び８ａを挟持して、枠体６並びに鋼板８及び８ａを締結する仮固定手段１８をストッパＳに４個設ける。ボルト杆１３に形成された切欠き部１２は、枠体６と鋼板８及び８ａとの間に配される。仮固定手段１８は、後述する箱体１と棒状体３とを上部構造Ｇ及び下部構造Ｂ間に設置する作業が終了するまで該箱体１と棒状体３とを結合するにたる強度を有していればよい。
【０００７】
次に、吊り手段Ｕ及び仮固定手段１８によって箱体１と仮結合せしめられた棒状体３を、当該棒状体３の下端内面に橋軸方向Ｘに伸びて設けられた棒体Ｃを把持し、棒体Ｃが把持された棒状体３を上下反転させて当該棒状体３の下端部に設けられた開口を上端部４よりも一時的に上方に配し、このような状態で棒状体３の開口から中空部Ｐにコンクリートを打設し、固化させる。固化後、再び箱体１と棒状体３とを上下反転させ、吊り手段Ｕを形成する鋼板１０及び１０ａの夫々の円孔９にロープ（図示せず）を掛け渡して棒状体３と箱体１とを一体的に吊り上げ、吊り上げた棒状体３を予め下部構造Ｂに設けられた箱抜き穴に挿入し、挿入した棒状体３と箱抜き穴との隙間を埋めることで棒状体３を下部構造Ｂに固定し、棒状体３の固定後に箱体１を上部構造Ｇに固定する。これらの作業が終了した時点で、吊り手段Ｕを構成する鋼板１０及び１０ａを溶断等の手段によって撤去する。鋼板１０及び１０ａの溶断部位に研削作業を施した後に塗装等による防錆処理を施す。
【発明の開示】
【発明が解決しようとする課題】
【０００８】
ところで、斯かるストッパＳの設置方法では、吊り手段Ｕを構成する鋼板１０及び１０ａが箱体１及び棒状体３に溶接固定されるために、棒状体３の下部構造Ｂへの設置作業及び上部構造Ｇの設置後の鋼板１０及び１０ａの溶断等による撤去作業に手間を要することとなり、而して、簡単に且つ速やかに施工することが困難である。
【０００９】
また、斯かるストッパＳの設置方法では、鋼板１０及び１０ａがストッパＳの設置後に上部構造Ｇ及び下部構造Ｂ間に位置してしまうために、棒状体３及び箱体１の下部構造Ｂ及び上部構造Ｇへの設置後、吊り手段Ｕを構成する鋼板１０及び１０ａの溶断等の撤去作業を上部構造Ｇ及び下部構造Ｂ間の狭いスペースで行わなければならず、撤去作業に加えて、溶断部位の塗装等による防錆処理作業も上部構造Ｇ及び下部構造Ｂ間の狭いスペースで行わなければならず、而して、簡単に且つ速やかに施工することが困難である。
【００１０】
更に、斯かるストッパＳの設置方法では、仮固定手段１８により箱体１と棒状体３とが仮結合されたストッパＳを上下反転させた状態で棒状体３の中空部Ｐにコンクリートを打設するために、高所作業となる上に、中空部Ｐにコンクリートが打設されて重量が増した棒状体３を下部構造Ｂに設置すべく吊り手段Ｕにより吊り上げることとなる結果、簡単に且つ速やかに施工することが困難であり、また、施工現場において打設作業用の広い領域を確保する必要が生じると共に、中空部Ｐへのコンクリート打設時におけるストッパＳの転倒防止等の安全性を十分に考慮する必要がある。
【００１１】
本発明は、前記諸点に鑑みてなされたものであり、その目的とするところは、溶断等による撤去作業、高所での作業、狭いスペースでの作業及び大重量物の吊り上げ作業等を回避でき、しかも、コンクリート打設時の転倒の虞がなく、而して、簡単に且つ速やかに施工することができる橋梁用ストッパの設置方法を提供することにある。
【課題を解決するための手段】
【００１２】
本発明の橋梁用ストッパの設置方法は、中空部を有した棒状体及び棒状体の一端部を隙間をもって覆う箱体を具備していると共に箱体の棒状体に対する相対的な変位に基づく箱体と棒状体との圧接により橋梁の上部構造の下部構造に対する許容量以上の相対的な変位を禁止するストッパと、水平方向に関して箱体を棒状体に仮固定していると共に設定値以上の剪断力が加えられることにより剪断破壊されて当該仮固定を解除する仮固定具と、箱体を貫通して棒状体の一端部に取り外し自在に装着された吊り具とを具備した組み合わせ体を準備し、吊り具に吊り上げ力を与えて組み合わせ体を吊り上げ、吊り上げた組み合わせ体の棒状体を下部構造に設置し、下部構造への設置後に吊り具を棒状体から取り外して、箱体の周りに上部構造を設置することを含んでいる。
【００１３】
本発明の橋梁用ストッパの設置方法によれば、吊り具が箱体を貫通して棒状体の一端部に取り外し自在に装着されているために、棒状体の下部構造への設置後であって上部構造の箱体周りへの設置前に吊り具を棒状体から容易に取り外すことができる結果、溶断等による撤去作業及び狭いスペースでの作業を回避でき、而して、簡単に且つ速やかに施工することができる。
【００１４】
本発明の橋梁用ストッパの設置方法の好ましい例では、棒状体は、開口が設けられた上壁を具備しており、箱体は、棒状体の上壁の開口の上方に位置して貫通孔が設けられた底壁を具備しており、棒状体を下部構造に設置する際又は当該設置後であって上部構造を箱体に設置する前に、貫通孔及び開口を介して棒状体の中空部にコンクリートを打設するようになっている。
【００１５】
斯かる例の橋梁用ストッパの設置方法によれば、ストッパを上下反転させないで箱体及び棒状体の貫通孔及び開口を介して中空部にコンクリートを打設することができ、棒状体の下部構造への設置の際や当該設置後に、棒状体の中空部にコンクリートを打設することで、棒状体の中空部に未だコンクリートが打設されていない軽量なストッパを吊り上げることができる結果、簡単に且つ速やかに施工することができ、また、施工現場において打設作業用の広い領域を確保する必要をなくし得る。
【００１６】
本発明においては、組み合わせ体は、棒状体及び箱体の鉛直方向における隙間を維持する隙間維持部材を更に具備していてもよい。
【００１７】
隙間維持部材は、棒状体及び箱体間において貫通孔及び開口に連通するコンクリート流路を画成していてもよく、斯かる隙間維持部材を用いた橋梁用ストッパの設置方法によれば、コンクリートの収縮を考慮して、棒状体の中空部に打設すべきコンクリートを箱体の貫通孔から多めに流入させることができ、隙間維持部材は、弾性体からなっていてもよい。
【００１８】
本発明の橋梁用ストッパの設置方法の好ましい他の例では、吊り上げた組み合わせ体の棒状体を下部構造の箱抜きされた箱抜き穴に挿入し、棒状体及び箱抜き穴間の空間に充填材を充填することにより棒状体を下部構造に設置し、充填材の充填前に又は当該充填と併行して、棒状体の中空部にコンクリートを打設するようになっており、斯かる例によれば、高所での作業を回避できる上に、コンクリート打設時の転倒の虞がなく、しかも、ストッパのより速やかな施工を行い得る。
【００１９】
本発明においては、仮固定具は、棒状本体と、棒状本体の両端部間に形成されていると共に水平方向に関して設定値以上の剪断力が加えられることにより剪断破壊される切欠き部とを具備していてもよく、このような橋梁用ストッパの設置方法によれば、切欠き部に比較的小さな外力、例えば橋桁等の上部構造の温度変化による水平方向の伸び程度の外力によって仮固定具を容易に破断させ得て、地震時等の大きな外力が生じた際の棒状体と箱体との許容量を超えない程度の相対変位を阻害しないようにすることができる。
【００２０】
本発明の橋梁用ストッパの設置方法では、棒状体の一端部には、箱体の棒状体に対する衝突を緩衝する緩衝材が設けられていてもよく、斯かる緩衝材は、組み合わせ体が前記隙間維持部材を具備している場合には、当該隙間維持部材と一体的に成形されていてもよい。
【００２１】
本発明の橋梁用ストッパの設置方法の好ましい他の例では、箱体は、少なくとも二つの仮固定具により水平方向に関して棒状体に仮固定されており、棒状体の一端部には、少なくとも二つの吊り具が装着されており、好ましい更に他の例では、二つの吊り具を結ぶ線は、二つの仮固定具を結ぶ線に対して交差しており、これらの例によれば、箱体及び棒状体の相互の位置ずれを確実に防止し得ると共に、組み合わせ体の吊り上げをも容易に行い得る。
【００２２】
本発明の橋梁用ストッパの設置方法では、吊り具は、一端で棒状体に設けられたナットに解除自在に螺着され且つ他端で箱体の上面に接するアイボルトからなっていてもよい。
【発明の効果】
【００２３】
本発明によれば、溶断等による撤去作業、高所での作業、狭いスペースでの作業及び大重量物の吊り上げ作業等を回避でき、しかも、コンクリート打設時の転倒の虞がなく、而して、簡単に且つ速やかに施工することができる橋梁用ストッパの設置方法を提供し得る。
【発明を実施するための最良の形態】
【００２４】
次に、本発明の実施の形態の例を、図に示す例に基づいて更に詳細に説明する。尚、本発明はこれら例に何等限定されないのである。
【実施例】
【００２５】
図１から図８において、本例の橋梁用ストッパの設置方法では、まず、中空部２１を有した棒状体２２及び棒状体２２の一端部（上端部）２３を隙間２４をもって覆う箱体２５を具備していると共に箱体２５の棒状体２２に対する相対的な変位に基づく箱体２５と棒状体２２との圧接により橋梁の橋桁等からなる上部構造Ｇの橋脚、橋台等からなる下部構造Ｂに対する予め設定した許容量以上の相対的な変位を禁止するストッパ２６と、橋軸方向Ｘ及び橋軸直角方向Ｙを含む水平方向に関して箱体２５を棒状体２２に仮固定していると共に予め設定した設定値以上の剪断力が加えられることにより剪断破壊されて当該仮固定を解除する仮固定具２７と、鉛直方向と同方向である棒状体２２の軸方向Ａに伸びて箱体２５を貫通して棒状体２２の一端部２３に取り外し自在に装着された吊り具２８と、棒状体２２及び箱体２５の鉛直方向における隙間２９を維持する隙間維持部材３０とを具備した組み合わせ体３１を準備する。
【００２６】
鋼製の横断面方形状の棒状体２２は、橋軸方向Ｘで互いに対向している側壁４１及び４２と、側壁４１及び４２の橋軸直角方向Ｙにおける端縁に溶接等により夫々固着されていると共に橋軸直角方向Ｙで互いに対向している側壁４３及び４４と、側壁４１、４２、４３及び４４の上縁に溶接等により固着されていると共に中空部２１に連通する開口４５が設けられた上壁４６と、側壁４１、４２、４３及び４４の下縁に溶接等により固着されている下壁４７と、側壁４１、４２、４３及び４４の上部並びに上壁４６によって構成される一端部２３に設けられていると共に箱体２５の棒状体２２の一端部２３に対する衝突を緩衝するゴム弾性体からなる緩衝材４８とを具備している。側壁４１、４２、４３及び４４、上壁４６並びに下壁４７の夫々の内面は、中空部２１を画している。上壁４６の内面には、吊り具２８に螺合するための袋ナット８２が溶接等により固着されている。緩衝材４８は、箱体２５から下方に向かって若干突出していてもよい。
【００２７】
鋼製の横断面長方形状の箱体２５は、橋軸方向Ｘで互いに対向している側壁５１及び５２と、側壁５１及び５２の橋軸直角方向Ｙにおける端縁に溶接等により夫々固着されていると共に橋軸直角方向Ｙで互いに対向している側壁５３及び５４と、側壁５１、５２、５３及び５４の上縁に溶接等により固着されていると共に棒状体２２の上壁４６の開口４５の上方に位置して貫通孔５５が設けられた底壁５６と、側壁５１、５２、５３及び５４の下縁に溶接等により固着されている枠体５７とを具備している。尚、底壁５６の上面には、棒状体２２の中空部２１にコンクリート１０１が打設された後に貫通孔５５を閉塞する蓋部材６０が取り付けられる。
【００２８】
隙間２４は、上壁４６及び底壁５６間の鉛直方向における上述の隙間２９と、側壁４１及び５１間の橋軸方向Ｘにおける隙間６１と、側壁４２及び５２間の橋軸方向Ｘにおける隙間６２と、側壁４３及び５３間の橋軸直角方向Ｙにおける隙間６３と、側壁４４及び５４間の橋軸直角方向Ｙにおける隙間６４とからなる。隙間６１の橋軸方向Ｘにおける幅は、隙間６２の橋軸方向Ｘにおける幅よりも広い。隙間６３の橋軸直角方向Ｙにおける幅は、隙間６４の橋軸直角方向Ｙにおける幅と同等である。尚、緩衝材４８の隙間６３及び６４に位置する部分は、側壁５３及び５４の内面と１〜３ｍｍ程度の隙間を保持している。
【００２９】
少なくとも二つ、本例では四つの仮固定具２７は、両端部にねじ部７２及び７３が設けられたボルト杆等からなる棒状本体７１と、棒状本体７１のねじ部７２及び７３間に形成されていると共に水平方向に関して設定値以上の剪断力が加えられることにより剪断破壊される剪断破壊予定部位としての切欠き部（断面欠損部）７４と、棒状本体７１のねじ部７２に螺合固定されるナット７５と、ねじ部７２に螺合固定されると共にナット７５と協働して底壁５６及び蓋部材６０を締め込み固定する３種ナット等からなるナット７５ａとを夫々具備している。棒状本体７１のねじ部７３は、棒状体２２の上壁４６に螺合固定されている。棒状本体７１のねじ部７２は、箱体２５の底壁５６に形成された孔７６を通って底壁５６の上面より突出していると共に、切欠き部７４まで伸びており、ねじ部７２の前記突出した部分には、ナット７５が螺合されており、ねじ部７２の底壁５６よりも切欠き部７４側の部分には、ナット７５ａが螺合されている。棒状本体７１の切欠き部７４は、棒状体２２の上壁４６と箱体２５の底壁５６との間に配されている。
【００３０】
少なくとも二つ、本例では四つの吊り具２８の夫々は、一端８１で棒状体２２の上壁４６の内面に設けられた袋ナット８２に解除自在に螺着され且つ他端８３で箱体２５の上面（底壁５６の外面）８４に接するアイボルト８５からなる。アイボルト８５のリング部８６は、底壁５６の上方に配されている。尚、箱体２５の底壁５６と棒状体２２の上壁４６とには、アイボルト８５が挿通される少なくとも二つ、本例では四つの孔８７が夫々設けられている。
【００３１】
貫通孔５５を間にして棒状体２２の対角線上に配された二つの吊り具２８を結ぶ線は、貫通孔５５を間にして棒状体２２の対角線上に配された二つの仮固定具２７を結ぶ線に対して直交しており、貫通孔５５を間にして棒状体２２の対角線上に配された他の二つの吊り具２８を結ぶ線は、貫通孔５５を間にして棒状体２２の対角線上に配された他の二つの仮固定具２７を結ぶ線に対して直交している。
【００３２】
上壁４６及び底壁５６間に介装された隙間維持部材３０は、本例では緩衝材４８と同材料からなる弾性体によって構成されている。隙間維持部材３０は、緩衝材４８に囲まれて配されて上壁４６の上面に固着されている。隙間維持部材３０は、上壁４６の上面（外面）及び底壁５６の下面（内面）に接して隙間２９を弾性的に維持するようになっている。隙間維持部材３０は、環状であり、貫通孔５５及び開口４５に連通するコンクリート流路９１を画成している。斯かる隙間維持部材３０は、シールリング等によって具体化される。
【００３３】
次に、アイボルト８５の夫々にロープ（図示せず）を掛け渡し、掛け渡したロープをクレーン等の吊り上げ手段（図示せず）に係合させ、当該吊り上げ手段によりアイボルト８５に吊り上げ力を与えて棒状体２２を吊り上げ、吊り上げられる棒状体２２から隙間維持部材３０を介して箱体２５に吊り上げ力を伝達して当該箱体２５を吊り上げ、而して、組み合わせ体３１を吊り上げる。
【００３４】
次に、吊り上げた組み合わせ体３１の棒状体２２を、予め下部構造Ｂに形成された箱抜き穴Ｂ１に対して位置決めしながら当該箱抜き穴Ｂ１に挿入し、箱抜き穴Ｂ１及び棒状体２２間の空間Ｚに充填材を充填、本例ではコンクリート１０１を打設し、而して、棒状体２２を下部構造Ｂに設置する。尚、棒状体２２の箱抜き穴Ｂ１への挿入後であってコンクリート打設前においても、アイボルト８５を夫々取り外してもよい。
【００３５】
棒状体２２の中空部２１へのコンクリート１０１の打設は、棒状体２２を下部構造Ｂに設置する際又は当該設置後であって上部構造Ｇを箱体２５に設置する前に行う。中空部２１に打設すべきコンクリート１０１は、底壁５６の貫通孔５５、コンクリート流路９１及び上壁４６の開口４５を介して中空部２１に打設される。中空部２１へのコンクリート１０１の打設を棒状体２２を下部構造Ｂに設置する際に行う場合には、当該打設は、空間Ｚへのコンクリート１０１の打設前に行ってもよく、また、空間Ｚへのコンクリート１０１の打設と併行して行ってもよい。箱抜き穴Ｂ１と箱抜き穴Ｂ１に対して位置決めされた棒状体２２との空間Ｚにコンクリート１０１を打設する際、斯かる打設の圧力等で棒状体２２の施工位置に誤差を生じる虞がある場合には、棒状体２２の中空部２１にコンクリート１０１を打設し、当該打設後に空間Ｚにコンクリート１０１を打設してもよい。
【００３６】
空間Ｚ及び中空部２１へのコンクリート１０１の打設後であって固化した後、図８に示すように、箱体２５の底壁５６と棒状体２２の上壁４６との間に設けられたアイボルト８５の袋ナット８２への螺着を解除して当該アイボルト８５を組み合わせ体３１から取り外し、底壁５６の各孔８７に閉塞栓１０５を嵌め込んで当該孔８７を閉塞する。また、コンクリート１０１の打設後であって固化した後、棒状本体７１からナット７５を一旦取り外し、貫通孔５５を覆って蓋部材６０を底壁５６の上面から突出している棒状本体７１のねじ部７２に嵌挿し、蓋部材６０が嵌挿された棒状本体のねじ部７２にナット７５を再び螺合固定し、而して、蓋部材６０により貫通孔５５を閉塞する。ねじ部７２に螺合されたナット７５は、ナット７５ａと協働して蓋部材６０及び底壁５６を挟持する。
【００３７】
箱体２５の下面が上部構造Ｇの下面と面一となるように上部構造Ｇの型枠が組まれ、且つ、適宜の仮受け材をもって箱体２５の重量を下支えして箱体２５の底壁５６と棒状体２２の上壁４６との隙間２４を確保しながら、上部構造Ｇを構成するコンクリート１０１が打設され、而して、図９に示すように箱体２５の周りに上部構造Ｇが設置され、これにより図９に示すようにストッパ２６が設けられた上部構造Ｇと下部構造Ｂとからなる橋梁が構築される。尚、上部構造Ｇを構成するコンクリート１０１を打設する場合には、上部構造Ｇの自重は、上壁４６及び底壁５６に螺合した棒状本体７１とナット７５及び７５ａとを具備した仮固定具２７により鉛直方向に関して支持される。
【００３８】
上部構造Ｇのコンクリート１０１が固化するときや上部構造Ｇに圧縮応力が付与されるときに、上部構造Ｇは橋軸方向Ｘに関して収縮し、斯かる収縮により仮固定具２７の切欠き部７４は水平方向の剪断力に基づいて剪断破壊されると共に、隙間６１及び６２は橋軸方向Ｘに関して互いに等しい幅を有することになる。仮固定具２７は、上部構造Ｇの施工時におけるコンクリート１０１の固化に伴う乾燥収縮、プレストレスト導入時の収縮又は温度変化に起因する橋軸方向Ｘの伸縮によって箱体２５に棒状体２２に対する相対的な変位が生じた場合に水平方向の剪断力が作用して剪断破壊され、このように剪断破壊された後においては箱体２５と棒状体２２との相対変位を拘束しなくなる。
【００３９】
上述のようにして設置された橋梁用のストッパ２６は、下部構造Ｂと当該下部構造Ｂ上に可動支承及び固定支承を介して支持される上部構造Ｇとの間に介装される。尚、ストッパ２６は、特に可動支承の近傍に設置される可動端用として用いられ得る。
【００４０】
以上の橋梁用ストッパの設置方法によれば、中空部２１を有した棒状体２２及び棒状体２２の一端部２３を隙間２４をもって覆う箱体２５を具備していると共に箱体２５の棒状体２２に対する相対的な変位に基づく箱体２５と棒状体２２との圧接により上部構造Ｇの下部構造Ｂに対する許容量以上の相対的な変位を禁止するストッパ２６と、水平方向に関して箱体２５を棒状体２２に仮固定していると共に設定値以上の剪断力が加えられることにより剪断破壊されて当該仮固定を解除する仮固定具２７と、軸方向Ａに伸びて箱体２５を貫通して棒状体２２の一端部２３に取り外し自在に装着された吊り具２８とを具備した組み合わせ体３１を準備し、吊り具２８に吊り上げ力を与えて組み合わせ体３１を吊り上げ、吊り上げた組み合わせ体３１の棒状体２２を下部構造Ｂに設置し、下部構造Ｂへの設置後に吊り具２８を棒状体２２から取り外して、箱体２５に上部構造Ｇを設置するために、棒状体２２の下部構造Ｂへの設置後であって上部構造Ｇの箱体２５への設置前に棒状体２２の一端部２３に取り外し自在に装着された吊り具２８を棒状体２２から容易に取り外すことができ、而して、簡単に且つ速やかに施工することができる。
【００４１】
橋梁用ストッパの設置方法によれば、棒状体２２は、開口４５が設けられた上壁４６を具備しており、箱体２５は、棒状体２２の上壁４６の開口４５の上方に位置して貫通孔５５が設けられた底壁５６を具備しており、棒状体２２を下部構造Ｂに設置する際又は当該設置後であって上部構造Ｇを箱体２５に設置する前に、貫通孔５５及び開口４５を介して棒状体２２の中空部２１にコンクリート１０１を打設するために、ストッパ２６を上下反転させないで箱体２５及び棒状体２２の貫通孔５５及び開口４５を介して中空部２１にコンクリート１０１を打設することができ、棒状体２２の下部構造Ｂへの設置の際や当該設置後に、棒状体２２の中空部２１にコンクリート１０１を打設することで、棒状体２２の中空部２１に未だコンクリート１０１が打設されていない軽量なストッパ２６を吊り上げることができる結果、簡単に且つ速やかに施工することができ、また、施工現場において打設作業用の広い領域を確保する必要をなくし得ると共に、棒状体２２の中空部２１へのコンクリート打設時におけるストッパ２６の転倒防止等の安全性の確保が容易となり得る。
【００４２】
橋梁用ストッパの設置方法によれば、準備する組み合わせ体３１は、棒状体２２及び箱体２５の鉛直方向における隙間２９を維持する隙間維持部材３０を更に具備しており、隙間維持部材３０は、棒状体２２及び箱体２５間において貫通孔５５及び開口４５に連通するコンクリート流路９１を画成しているために、コンクリート１０１の乾燥収縮等を考慮して、棒状体２２の中空部２１に打設すべきコンクリート１０１を箱体２５の貫通孔５５から多めに流入させ得る。
【００４３】
橋梁用ストッパの設置方法によれば、吊り上げた組み合わせ体３１の棒状体２２を下部構造Ｂの箱抜きされた箱抜き穴Ｂ１に挿入し、棒状体２２及び箱抜き穴Ｂ１間の空間Ｚに充填材を充填、本例ではコンクリート１０１を打設することにより棒状体２２を下部構造Ｂに設置し、当該コンクリート１０１の打設前に又は当該打設と併行して、棒状体２２の中空部２１にコンクリート１０１を打設するために、ストッパ２６のより速やかな施工を行い得る。
【００４４】
橋梁用ストッパの設置方法によれば、仮固定具２７は、棒状本体７１と、棒状本体７１の両端部としてのねじ部７２及び７３間に形成されていると共に水平方向に関して設定値以上の剪断力が加えられることにより剪断破壊される切欠き部７４とを具備しているために、切欠き部７４に比較的小さな外力、例えば橋桁等の上部構造Ｇの温度変化による水平方向の伸縮程度の外力によって仮固定具２７を容易に破断させ得て、地震時等の大きな外力が生じた際の棒状体２２と箱体２５との許容量を超えない程度の相対変位を阻害しないようにすることができる。
【００４５】
橋梁用ストッパの設置方法によれば、箱体２５は、少なくとも二つ、本例では四つの仮固定具２７により水平方向に関して棒状体２２に仮固定されており、棒状体２２の一端部２３には、少なくとも二つの吊り具２８が装着されており、二つの吊り具２８を結ぶ線は、二つの仮固定具２７を結ぶ線に対して交差しており、他の二つの吊り具２８を結ぶ線は、他の二つの仮固定具２７を結ぶ線に対して交差しているために、箱体２５及び棒状体２２の相互の位置ずれを確実に防止し得ると共に、組み合わせ体３１の吊り上げをも容易に行い得る。
【図面の簡単な説明】
【００４６】
【図１】本発明の実施の形態の好ましい一例の側面説明図である。
【図２】図１に示す例の他の側面説明図である。
【図３】図１に示す例のＩＩＩ−ＩＩＩ線拡大矢視説明図である。
【図４】図１に示す例のＩＶ−ＩＶ線拡大断面矢視説明図である。
【図５】図１に示す例のＶ−Ｖ線断面矢視説明図である。
【図６】図１に示す例の一部拡大説明図である。
【図７】図１に示す例の一部拡大説明図である。
【図８】図１に示す例の設置に関する一部拡大説明図である。
【図９】本発明の実施の形態で構築された橋梁の部分説明図である。
【図１０】従来の橋梁用ストッパの側面説明図である。
【図１１】図１０に示す橋梁用ストッパの他の側面説明図である。
【図１２】図１０に示す橋梁用ストッパの平断面説明図である。
【図１３】図１０に示す橋梁用ストッパの一部拡大説明図である。
【図１４】図１０に示す橋梁用ストッパの一部拡大説明図である。
【符号の説明】
【００４７】
２１  中空部
２２  棒状体
２４、２９、６１、６２、６３、６４  隙間
２５  箱体
２６  ストッパ
２７  仮固定具
２８  吊り具
３０  隙間維持部材
３１  組み合わせ体
４８  緩衝材
６０  蓋部材
【図１】
2006152650.tif 000003
【図２】
2006152650.tif 000004
【図３】
2006152650.tif 000005
【図４】
2006152650.tif 000006
【図５】
2006152650.tif 000007
【図６】
2006152650.tif 000008
【図７】
2006152650.tif 000009
【図８】
2006152650.tif 000010
【図９】
2006152650.tif 000011
【図１０】
2006152650.tif 000012
【図１１】
2006152650.tif 000013
【図１２】
2006152650.tif 000014
【図１３】
2006152650.tif 000015
【図１４】
2006152650.tif 000016